(57)【要約】  本発明は、水と、少なくとも１種のイオン液体とを含んでなる組成物に関し、こうした組成物を冷媒対として用いて吸収サイクルを実行できる装置にも関する。本発明は、冷媒として水と吸収剤として少なくとも１種のイオン液体とを含んでなる吸収サイクルを用いて冷却する方法も提供する。本発明は、冷媒として水と少なくとも１種のイオン液体とを含んでなる吸収サイクルを用いて加熱する方法も提供する。
2009520073.tif 000002
【特許請求の範囲】
【請求項１】
水と、水を吸収する少なくとも１種のイオン液体とを含んでなる組成物。
【請求項２】
イオン液体が以下の１１種のカチオンよりなる群から選択されるカチオンを含んでなる請求項１に記載の組成物。
【化１】
2009520073.tif 000033
【化２】
2009520073.tif 000034
【化３】
2009520073.tif 000035
［式中、Ｒ１、Ｒ２、Ｒ３、Ｒ４、Ｒ５およびＲ６は、独立して、
（ｉ）Ｈ
（ｉｉ）ハロゲン
（ｉｉｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｉｖ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｖ）Ｃ６〜Ｃ２０非置換アリール、またはＯ、Ｎ、ＳｉおよびＳよりなる群から独立して選択される１〜３個のヘテロ原子を有するＣ３〜Ｃ２５非置換ヘテロアリールおよび
（ｖｉ）Ｃ６〜Ｃ２５置換アリール、またはＯ、Ｎ、ＳｉおよびＳよりなる群から独立して選択される１〜３個のヘテロ原子を有するＣ３〜Ｃ２５置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ２５置換アリールまたはＣ３〜Ｃ２５置換ヘテロアリール
よりなる群から選択され、
Ｒ７、Ｒ８、Ｒ９およびＲ１０は、独立して、
（ｖｉｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｖｉｉｉ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｉｘ）Ｃ６〜Ｃ２０非置換アリール、またはＯ、Ｎ、ＳｉおよびＳよりなる群から独立して選択される１〜３個のヘテロ原子を有するＣ３〜Ｃ２５非置換ヘテロアリールおよび
（ｘ）Ｃ６〜Ｃ２５置換アリール、またはＯ、Ｎ、ＳｉおよびＳよりなる群から独立して選択される１〜３個のヘテロ原子を有するＣ３〜Ｃ２５置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ２５置換アリールまたはＣ３〜Ｃ２５置換ヘテロアリール
よりなる群から選択され、
場合により、Ｒ１、Ｒ２、Ｒ３、Ｒ４、Ｒ５、Ｒ６、Ｒ７、Ｒ８、Ｒ９およびＲ１０の少なくとも２つは一緒になって、環式または二環式のアルカニル基またはアルケニル基を形成する］
【請求項３】
カチオンがイミダゾリウムを含んでなる請求項２に記載の組成物。
【請求項４】
カチオンが１−エチル−３−メチルイミダゾリウムである請求項３に記載の組成物。
【請求項５】
Ｒ１、Ｒ２、Ｒ３、Ｒ４、Ｒ５、Ｒ６、Ｒ７、Ｒ８、Ｒ９およびＲ１０の少なくとも１つがＦ−を含んでなる請求項２に記載の組成物。
【請求項６】
前記イオン液体が式
【化４】
2009520073.tif 000036
［式中、Ｒ１１は、
（ｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（ｉｉ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（ｉｉｉ）Ｃ６〜Ｃ１０非置換アリール、またはＯ、Ｎ、ＳｉおよびＳよりなる群から独立して選択される１〜３個のヘテロ原子を有するＣ３〜Ｃ１０非置換ヘテロアリールおよび
（ｉｖ）Ｃ６〜Ｃ１０置換アリール、またはＯ、Ｎ、ＳｉおよびＳよりなる群から独立して選択される１〜３個のヘテロ原子を有するＣ３〜Ｃ１０置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ１０置換アリールまたはＣ３〜Ｃ１０置換ヘテロアリール
よりなる群から選択される］
で表されるアニオンを含んでなる請求項２に記載の組成物。
【請求項７】
［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および任意のフッ素化アニオンよりなる群から選択されるアニオンを含んでなる請求項１に記載の組成物。
【請求項８】
［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および任意のフッ素化アニオンよりなる群から選択されるアニオンを含んでなる請求項２に記載の組成物。
【請求項９】
［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および任意のフッ素化アニオンよりなる群から選択されるアニオンを含んでなる請求項５に記載の組成物。
【請求項１０】
イオン液体が１−エチル−３−メチルイミダゾリウムテトラフルオロボレートである請求項１に記載の組成物。
【請求項１１】
イオン液体がフッ素化カチオンとフッ素化アニオンとを含んでなる請求項１に記載の組成物。
【請求項１２】
約５℃〜約２００℃の温度範囲にわたって、組成物中の水の濃度が組成物中の水とイオン液体の総合重量の約１〜約９９重量％の範囲内である請求項１に記載の組成物。
【請求項１３】
（ａ）水を含んでなる冷媒とイオン液体を含んでなる吸収剤との混合物を形成させる吸収装置と、（ｂ）混合物を吸収装置から受け、混合物を加熱して、吸収剤から蒸気状の冷媒を分離するとともに冷媒蒸気の圧力を上げる発生装置と、（ｃ）蒸気を発生装置から受け、蒸気を圧力下で液体に凝縮させる凝縮装置と、（ｄ）凝縮装置を出る液体冷媒が通り抜けて液体の圧力を下げ、液体と蒸気冷媒との混合物を形成させる減圧装置と、（ｅ）液体と蒸気冷媒との混合物を受け、混合物を減圧装置に通して残りの液体を蒸発させ、冷媒蒸気を形成させる蒸発装置と、（ｆ）蒸発装置を出る冷媒蒸気を吸収装置に戻す導管とを含んでなる温度調節のための装置。
【請求項１４】
凝縮装置が加熱されるべき物体、媒体または空間に近接して配置される請求項１３に記載の装置。
【請求項１５】
蒸発装置が冷却されるべき物体、媒体または空間に近接して配置される請求項１３に記載の装置。
【請求項１６】
物体、媒体または空間の温度を調節する方法であって、（ａ）冷媒蒸気を吸収剤に吸収させて混合物を形成させる工程と、（ｂ）混合物を加熱して、吸収剤から蒸気状で冷媒を分離するとともに冷媒蒸気の圧力を上げる工程と、（ｃ）冷媒蒸気を圧力下で液体に凝縮させる工程と、（ｄ）液体冷媒の圧力を下げるとともに冷媒を蒸発させて、冷媒蒸気を形成させる工程と、（ｅ）工程（ａ）を繰り返して、冷媒蒸気を吸収剤に再吸収させる工程とを含んでなり、吸収剤はイオン液体を含んでなり、冷媒は水を含んでなる方法。
【請求項１７】
加熱されるべき物体、媒体または空間に近接して冷媒蒸気を液体に凝縮させる請求項１６に記載の方法。
【請求項１８】
冷却されるべき物体、媒体または空間に近接して液体冷媒を蒸発させて冷媒蒸気を形成させる請求項１６に記載の方法。
【発明の詳細な説明】
【関連出願の相互参照】
【０００１】
本願は、２００５年１２月１４日出願の米国仮特許出願第６０／７５０，１９６号の利益を主張する。この特許出願はすべての目的のために全体が参照により本明細書の一部として援用される。
【技術分野】
【０００２】
本発明は、少なくとも１種の冷媒と少なくとも１種の吸収剤とを含む冷媒対を用いる吸収冷却システムまたは吸収加熱システムに関する。ここで、好ましい実施形態において、吸収剤は少なくとも１種のイオン液体であってもよい。
【背景技術】
【０００３】
莫大な蒸気圧を有する溶媒の新規タイプとして、室温イオン液体は化学分離および独特の反応媒体のために用いられつつある。溶媒相挙動は、これらの用途および吸収冷却または吸収加熱などの新規用途においてイオン液体を用いる魅力の重要な要素である。
【０００４】
吸収冷却サイクルまたは吸収加熱サイクルは、１００年を超える技術であり、非特許文献１における記載などの記載から周知である。基本冷却サイクルは冷却されるべき水、空気または任意の媒体から熱を吸収するとともに気相に変換する低温液体冷媒を用いる（蒸発装置部分）。その後、冷媒蒸気は、発生装置によってより高い圧力に圧縮され、外部環境に熱を捨てることにより液体に戻され（凝縮装置部分）、その後、液体と蒸気の低圧混合物に膨張され（膨張装置部分）、低圧混合物は蒸発装置部分に戻り、サイクルを繰り返す。吸収システムは冷媒蒸気を高圧に圧縮するために熱を用いる。
【０００５】
蒸気圧縮サイクルが殆どの空調用途および冷凍用途において現在用いられているが、周知の冷媒−吸収剤システム（Ｈ２Ｏ／ＬｉＢｒおよびＮＨ３／Ｈ２Ｏ）は、特に工業用途または大規模水冷却器システムの分野で特定の用途のためになお用いられている。最近、ＮＨ３／Ｈ２Ｏシステムを用いる廃熱の回収により注意が向けられてきた（非特許文献２）。冷媒としてＬｉＢｒおよびＮＨ３を用いる固有の欠点には、ＬｉＢｒの腐食性およびＮＨ３の毒性と可燃性が挙げられる。
【０００６】
１９５０年代後半において、幾つかの先駆的な研究は、有機吸収剤と合わせてフルオロアルカン冷媒を用いる吸収サイクルのための新規冷媒−吸収剤対を提案した。（非特許文献３；非特許文献４）。こうした研究は、特に学究的機関の間で現在でさえ活発に続いている［非特許文献５、非特許文献６、非特許文献７］。
【０００７】
特許文献１が少なくとも１種の冷媒と少なくとも１種のイオン液体を含んでなる冷媒対を用いる吸収サイクルを開示しているが、冷媒とイオン液体の選択された対を用いて吸収サイクルを運転するためのシステムが必要とされ続けている。この特許出願はすべての目的のために全体が参照により本明細書の一部として援用される。
【０００８】
【特許文献１】米国特許出願第１１／３４６，０２８号明細書
【非特許文献１】ハーフ（Ｈａａｆ）ら、「冷凍技術（Ｒｅｆｒｉｇｅｒａｔｉｏｎ  Ｔｅｃｈｎｏｌｏｇｙ）」（ウルマンの工業化学エンサイクロペディア（Ｕｌｌｍａｎｎ’ｓ  Ｅｎｃｙｃｌｏｐｅｄｉａ  ｏｆ  Ｉｎｄａｓｔｒｉａｌ  Ｃｈｅｍｉｓｔｒｙ）、第６版、ウィリー−ＶＣＨフェアラーク（ｗｉｌｅｙ−ＶＣＨ  Ｖｅｒｌａｇ  ＧｍｂＨ）、独国ワインハイム（Ｗｅｉｎｈｅｉｍ，Ｇｅｒｍａｎｙ）、第３１巻、２６９〜３１２頁）
【非特許文献２】エリクソン（Ｅｒｉｃｋｓｏｎ）ら、「熱活性化二元機能吸収サイクル（Ｈｅａｔ−Ａｃｔｉｖａｔｅｄ  Ｄｕａｌ−ｆｕｎｃｔｉｏｎ  Ａｂｓｏｒｐｔｉｏｎ  Ｃｙｃｌｅｓ）」、ＡＳＨＲＡＥ  Ｔｒａｎｓ．、２００４、１１０
【非特許文献３】エイズマン（Ｅｉｓｅｍａｎ）、「フルオロアルカン吸収冷媒の比較（Ａ  Ｃｏｍｐａｒｉｓｏｎ  ｏｆ  Ｆｌｕｏｒｏａｌｋａｎ  Ａｂｓｏｒｐｔｉｏｎ  Ｒｅｆｒｉｇｅｒａｎｔｓ）」ＡＳＨＲＡＥ  Ｊ．１９５９、１、４５
【非特許文献４】マストランゲロ（Ｍａｓｔｒａｎｇｅｌｏ）、「テトラエチレングリコールエーテル中の幾つかのクロロフルオロヒドロカーボンの溶解度（Ｓｏｌｕｂｉｌｉｔｙ  ｏｆ  Ｓｏｍｅ  Ｃｈｌｏｒｏｆｌｕｏｒｏｈｙｄｒｏｃａｒｂｏｎｓ  ｉｎ  Ｔｅｔｒａｅｔｈｙｌｅｎｅ  Ｇｌｙｃｏｌ  Ｅｔｈｅｒ）」、ＡＳＨＲＡＥ  Ｊ．１９５９、１、６４
【非特許文献５】ネズ（Ｎｅｚｕ）ら、「吸収冷凍システムのためのＲ−１３４ａを有する作動流体対の熱力学的特性（Ｔｈｅｒｍｏｄｙｎａｍｉｃ  Ｐｒｏｐｅｒｔｉｅｓ  ｏｆ  Ｗｏｒｋｉｎｇ−Ｆｌｕｉｄ  Ｐａｉｒｓ  Ｗｉｔｈ  Ｒ−１３４ａ  ｆｏｒ  Ａｂｓｏｒｐｔｉｏｎ  Ｒｅｆｒｉｇｅｒａｔｉｏｎ  Ｓｙｓｔｅｍ）」、Ｎａｔｕｒａｌ  Ｗｏｒｋｉｎｇ  Ｆｌｕｉｄｓ  ２００２、ＩＩＲ  Ｇｕｓｔａｖ  Ｌｏｒｅｎｔｚｅｎ  Ｃｏｎｆ．５ｔｈ．Ｃｈｉｎａ、（２００２年９月１７〜２０日、４４６〜４５３）
【非特許文献６】ファトー（Ｆａｔｏｕｈ）ら、「Ｐ−Ｔ−Ｘ−データに基づく冷却用途のためのＲ−２２吸収対の比較（Ｃｏｍｐａｒｉｓｏｎ  ｏｆ  Ｒ−２２  Ａｂｓｏｒｐｔｉｏｎ  Ｐａｉｒｓ  ｆｏｒ  Ｃｏｏｌｉｎｇ  Ａｂｓｏｒｐｔｉｏｎ  Ｂａｓｅｄ  ｏｎ  Ｐ−Ｔ−Ｘ  Ｄａｔａ）」、Ｒｅｎｅｗａｂｌｅ  Ｅｎｅｒｇｙ、１９９３、３、３１−３７
【非特許文献７】バート（Ｂｈａｔｔ）ら、「幾つかの新規作動対による吸収−再吸収加熱サイクルの熱力学的モデル化（Ｔｈｅｒｍｏｄｙｎａｍｉｃ  Ｍｏｄｅｌｉｎｇ  ｏｆ  Ａｂｓｏｒｐｔｉｏｎ−Ｒｅｓｏｒｐｔｉｏｎ  Ｈｅａｔｉｎｇ  Ｃｙｃｌｅｓ  ｗｉｔｈ  Ｓｏｍｅ  Ｎｅｗ  Ｗｏｒｋｉｎｇ  Ｐａｉｒｓ）」、Ｈｅａｔ  Ｒｅｃｏｖｅｒｙ  Ｓｙｓｔｅｍ  ＆  ＣＨＰ、１９９２、１２、２２５−２２３
【発明の開示】
【課題を解決するための手段】
【０００９】
本発明は、サイクルの繰り返し中に捨てられ、吸収された熱を見込んで、加熱または冷却を実行するために適するシステムまたは他の装置または機器を運転するか、走らせることにより吸収サイクルの実行または遂行をもたらす。
【００１０】
従って、本発明の１つの実施形態は、水と、水を吸収する少なくとも１種のイオン液体を含む組成物を提供する。イオン液体は、本明細書に記載されたピリジニウム、ピリダジニウム、ピリミジニウム、ピラジニウム、イミダゾリウム、ピラゾリウム、チアゾリウム、オキサゾリウムおよびトリアゾリウムよりなる群から選択されるカチオンを含んでなってもよい。これらの組成物は、吸収加熱サイクルまたは吸収冷却サイクルにおいて、およびこうしたサイクルを運転するシステムにおいて冷媒対として有用である。
【００１１】
従って、本発明のもう１つの実施形態は、（ａ）冷媒と吸収剤との混合物を形成させる吸収装置、（ｂ）混合物を吸収装置から受け、混合物を加熱して、吸収剤から蒸気状の冷媒を分離するとともに冷媒蒸気の圧力を上げる発生装置、（ｃ）蒸気を発生装置から受け、蒸気を圧力下で液体に凝縮させる凝縮装置、（ｄ）凝縮装置を出る液体冷媒が通り抜けて液体の圧力を下げ、液体と蒸気冷媒との混合物を形成させる減圧装置、（ｅ）液体と蒸気冷媒との混合物を受け、混合物を減圧装置に通して残りの液体を蒸発させ、冷媒蒸気を形成させる蒸発装置、および（ｆ）蒸発装置を出る冷媒蒸気を吸収装置に戻す導管を含む温度調節のための装置を提供する。
【００１２】
こうした装置は、加熱されるべき物体、媒体または空間に近接して凝縮装置を配置させることにより加熱のために用いてもよいか、または装置は冷却されるべき物体、媒体または空間に近接して蒸発装置を配置させることにより冷却のために用いてもよい。
【００１３】
更なる実施形態において、本発明は、（ａ）冷媒蒸気を吸収剤に吸収して混合物を形成させ、（ｂ）混合物を加熱して、吸収剤から蒸気状で冷媒を分離するとともに冷媒蒸気の圧力を上げ、（ｃ）冷媒蒸気を圧力下で液体に凝縮させ、（ｄ）液体冷媒の圧力を下げるとともに冷媒を蒸発させて、冷媒蒸気を形成させ、そして（ｅ）工程（ａ）を繰り返して、冷媒蒸気を吸収剤に再吸収させることにより、物体、媒体または空間の温度を調節するための方法を提供する。
【００１４】
方法のこうした実施形態において、本方法により遂行される温度調節は、温度の上昇であってもよく、当該目的のために、冷媒蒸気は、加熱されるべき物体、媒体または空間に近接して液体に凝縮させる。あるいは、本方法により遂行される温度調節は、温度の低下であってもよく、当該目的のために、液体冷媒は、冷却されるべき物体、媒体または空間に近接して蒸発させる。
【００１５】
上の実施形態のいずれにおいても、冷媒は水であってもよく、および／または吸収剤は１つもしくはそれ以上のイオン液体であってもよい。
【発明を実施するための最良の形態】
【００１６】
この開示において、以下のリストでおよび以下のいずれかの箇所で記載された種々の用語のための定義を規定する。
【００１７】
「アルカン」という用語は、直鎖、分枝または環式であってもよい一般式ＣｎＨ２ｎ＋２で表される飽和炭化水素を意味する。環式化合物は最少で３個の炭素を必要とする。
【００１８】
「アルケン」という用語は、１個もしくはそれ以上のＣ＝Ｃ二重結合を含むとともに直鎖、分枝または環式であってもよい不飽和炭化水素を意味する。アルケンは最少で２個の炭素を必要とする。環式化合物は最少で３個の炭素を必要とする。
【００１９】
「芳香族」という用語はベンゼンおよび化学挙動においてベンゼンに類似の化合物を意味する。
【００２０】
２つもしくはそれ以上の冷媒の「共沸」混合物または「定沸点」混合物は、気相と液相の組成が冷却サイクルまたは加熱サイクルで受ける温度および圧力で実質的に同じである混合物である。米国特許第５，７０９，０９２号明細書で記載されたように蒸発損失後でさえ実質的に一定の蒸気圧を維持し、よって定沸点挙動を示す「近共沸」混合物は定沸点混合物の定義に含まれる。
【００２１】
「フッ素化イオン液体」という用語は、カチオンまたはアニオンのいずれかの上に少なくとも１個のフッ素を有するイオン液体として定義される。「フッ素化カチオン」または「フッ素化アニオン」は、少なくとも１個のフッ素を含んでなるそれぞれカチオンまたはアニオンである。
【００２２】
「ヘテロアリール」はヘテロ原子を有するアルキル基を意味する。
【００２３】
「ヘテロ原子」は、アルカニル化合物、アルケニル化合物、環式化合物または芳香族化合物の構造中の炭素以外の原子である。
【００２４】
「イオン液体」という用語は、約１００℃または約１００℃未満で流体である有機塩として定義される。
【００２５】
「冷媒」は熱エネルギー伝達ビヒクルとして用いてもよい水などの流体物質である。液相から気相に相を変える（蒸発する）とき、冷媒は周囲から熱を除去する。蒸気から液体に相を変える（凝縮する）とき、冷媒は周囲に熱を加える。
【００２６】
冷媒という用語が冷却のみのために用いられる物質の暗示的意味を有する場合があるが、この用語は、加熱または冷却のために用いてもよいシステムまたは装置内で用いるために適用できる熱エネルギー伝達ビヒクルまたは物質の一般的意味で本明細書において用いられる。
【００２７】
「冷媒対」、「冷媒／吸収剤対」および「冷媒／イオン液体対」という用語は同義的に用いられ、冷媒と吸収剤の両方の存在を必要とする吸収サイクルの運転において用いるために適する混合物を意味し、ここで、吸収剤は冷媒を吸収する。いずれかの箇所で注記されているように、本明細書の吸収剤はイオン液体であってもよい。「冷媒対組成物」は、冷媒対、冷媒／吸収剤対または冷媒／イオン液体対を含んでなる組成物である。
【００２８】
「真空」という用語は、吸収サイクルにおいて実用的な使用のために約１バール未満であるが、約１０−４バールより高い圧力を意味する。
【００２９】
吸収サイクル
本発明は、少なくとも１種の冷媒と少なくとも１種の吸収剤とを含む冷媒対を用いる吸収冷却システムおよび吸収加熱システムに関する。本発明によって提供される冷媒対組成物の好ましい実施形態において、冷媒は水であってもよく、吸収剤は１つもしくはそれ以上のイオン液体であってもよい。本発明は、吸収冷却システムまたは吸収加熱システムにおいて冷媒／吸収剤対を用いる冷却または加熱のいずれかの温度調節のための方法も提供する。
【００３０】
吸収サイクルおよび吸収サイクルを行うシステムは、「回収熱を用いる吸収冷却／冷凍のための応用ガイド（Ａｐｐｌｉｃａｔｉｏｎ  Ｇｕｉｄｅ  ｆｏｒ  Ａｂｓｏｒｐｔｉｏｎ  Ｃｏｏｌｉｎｇ／Ｒｅｆｒｉｇｅｒａｔｉｏｎ  Ｕｓｉｎｇ  Ｒｅｃｏｖｅｒｅｄ  Ｈｅａｔ）」［ドルガン（Ｄｏｒｇａｎ）ら（米国熱・冷凍空調工業会（Ａｍｅｒｉｃａｎ  Ｓｏｃｉｅｔｙ  ｏｆ  Ｈｅａｔｉｎｇ，Ｒｅｆｒｉｇｅｒａｔｉｏｎ  ａｎｄ  Ａｉｒ  Ｃｏｎｄｉｔｉｏｎｉｎｇ  Ｅｎｇｉｎｅｅｒｓ，Ｉｎｃ．、１９９５、ジョージア州アトランタ（Ａｔｌａｎｔａ  ＧＡ）、第５章）］に記載されている。単純な吸収サイクルおよび吸収サイクルを行う装置に関する概略図を図１に示している。システムは、普通の蒸気圧縮サイクルに類似している膨張弁を有する凝縮装置および蒸発装置から構成されているが、圧縮装置の代わりに吸収装置−発生装置溶液回路を用いている。回路は、吸収装置、発生装置、熱交換器、圧力制御装置および溶液を循環させるポンプから構成されていてもよい。幾つかの実施形態において、吸収剤が冷媒を吸収すると吸収装置が放出する熱を用いて、発生装置内の冷媒と吸収剤の混合物を加熱して、吸収剤から蒸気状の冷媒を分離してもよい。
【００３１】
図１に示したように、吸収サイクルを運転するための典型的な装置は、図面の左側に示した吸収装置−発生装置溶液回路などの部品を含んでもよく、それらの部品は、熱の流出および流入によって、圧縮装置が機械的に行うように冷媒蒸気の圧力を増加させ、ここで、回路は、吸収装置、発生装置、熱交換器、圧力制御装置および溶液を循環させるポンプから構成されていてもよい。装置も図面の右側に示したように凝縮装置および膨張弁を有する蒸発装置から構成されている。
【００３２】
図１に示した装置において、冷媒と吸収剤の混合物を吸収装置内に形成させる。混合物を発生装置に通し、発生装置内で混合物を加熱して、吸収剤から蒸気状の冷媒を分離し、冷媒蒸気の圧力を上げる。冷媒蒸気を凝縮装置に通し、凝縮装置内で蒸気を圧力下で液体に凝縮させる。液体冷媒を膨張装置に通し、膨張装置内で液体冷媒の圧力を下げて、液体冷媒と蒸気冷媒の混合物を形成させる。液体冷媒と蒸気冷媒の混合物を蒸発装置に通し、蒸発装置内で残りの液体を蒸発させて冷媒蒸気を形成させる。蒸発装置を出る冷媒蒸気を吸収装置に通して工程（ａ）を繰り返すとともに冷媒蒸気と吸収剤の混合物を再形成させる。
【００３３】
図１に示した装置および本明細書で開示した装置は、本明細書に記載された冷媒および／または例えば本明細書に記載されたイオン液体のいずれかを含むいずれか１つもしくはそれ以上の吸収剤を用いる吸収サイクルを実行できる。本明細書の装置も本明細書に記載された方法のいずれか１つもしくはそれ以上を実行できる。本発明のなおもう１つの実施形態は、図１に実質的に示したか、または記載した装置である。
【００３４】
吸収サイクルの吸収装置側はイオン液体より主としてなる。１つの実施形態において、吸収装置側のイオン液体の濃度は、イオン液体プラス水の重量の約５０重量％より高い。代替実施形態において、吸収装置側のイオン液体の濃度は、イオン液体プラス水の重量の約７０重量％より高い。吸収サイクルの発生装置側は水より主としてなる。水の濃度は、イオン液体プラス水の重量を基準にして９９重量％以上ほどに高い。
【００３５】
本発明は、（ａ）冷媒と吸収剤との混合物を形成させる吸収装置、（ｂ）混合物を吸収装置から受け、混合物を加熱して、吸収剤から蒸気状の冷媒を分離するとともに冷媒蒸気の圧力を上げる発生装置、（ｃ）蒸気を発生装置から受け、蒸気を圧力下で液体に凝縮させる、加熱されるべき物体、媒体または空間に近接して配置された凝縮装置、（ｄ）凝縮装置を出る液体冷媒が通り抜けて液体の圧力を下げ、液体と蒸気冷媒との混合物を形成させる減圧装置、（ｅ）液体と蒸気冷媒との混合物を受け、混合物を減圧装置に通して残りの液体を蒸発させ、冷媒蒸気を形成させる蒸発装置、および（ｆ）蒸発装置を出る冷媒蒸気を吸収装置に通す導管を含む物体、媒体または空間を加熱するための装置も提供する。
【００３６】
本発明は、（ａ）冷媒と吸収剤との混合物を形成させる吸収装置、（ｂ）混合物を吸収装置から受け、混合物を加熱して、吸収剤から蒸気状の冷媒を分離するとともに冷媒蒸気の圧力を上げる発生装置、（ｃ）蒸気を発生装置から受け、蒸気を圧力下で液体に凝縮させる凝縮装置、（ｄ）凝縮装置を出る液体冷媒が通り抜けて液体の圧力を下げ、液体と蒸気冷媒との混合物を形成させる減圧装置、（ｅ）液体と蒸気冷媒との混合物を受け、混合物を減圧装置に通して残りの液体を蒸発させ、冷媒蒸気を形成させる、冷却されるべき物体、媒体または空間に近接して配置された蒸発装置、および（ｆ）蒸発装置を出る冷媒蒸気を吸収装置に通す導管を含む物体、媒体または空間を冷却するための装置も提供する。
【００３７】
本発明の装置は、冷凍機、フリーザ、製氷機、空調装置、工業冷却システム、ヒータまたはヒートポンプ中で用いるために配備してもよいか、これらの装置として製作してもよいか、またはこれらの装置として運転してもよい。これらの機器の各々を住宅環境、商業環境または工業環境に置いてもよいか、自動車、トラック、バス、列車、航空機または輸送のための他の機器などの移動機器に導入してもよいか、または医療機器などの装置の部品に導入してもよい。
【００３８】
本発明は、物体、媒体または空間を加熱する方法であって、（ａ）冷媒蒸気を吸収剤に吸収させて混合物を形成させる工程と、（ｂ）混合物を加熱して、吸収剤から蒸気状で冷媒を分離するとともに冷媒蒸気の圧力を上げる工程と、（ｃ）加熱されるべき物体、媒体または空間に近接して、冷媒蒸気を圧力下で液体に凝縮させる工程と、（ｄ）液体冷媒の圧力を下げるとともに冷媒を蒸発させて、冷媒蒸気を形成させる工程と、（ｅ）工程（ａ）を繰り返して、冷媒蒸気を吸収剤に再吸収させる工程とを含んでなる方法も提供する。
【００３９】
本発明は、物体、媒体または空間を冷却する方法であって、（ａ）冷媒蒸気を吸収剤に吸収させて混合物を形成させる工程と、（ｂ）混合物を加熱して、吸収剤から蒸気状で冷媒を分離するとともに冷媒蒸気の圧力を上げる工程と、（ｃ）冷媒蒸気を圧力下で液体に凝縮させる工程と、（ｄ）冷却されるべき物体、媒体または空間に近接して、液体冷媒の圧力を下げるとともに冷媒を蒸発させて、冷媒蒸気を形成させる工程と、（ｅ）工程（ａ）を繰り返して、冷媒蒸気を吸収剤に再吸収させる工程とを含んでなる方法も提供する。
【００４０】
本発明は、吸収サイクルを実行する装置内の物体、媒体または空間を加熱する方法であって、（ａ）冷媒と吸収剤との混合物を吸収装置内で形成させ、（ｂ）混合物を発生装置に通し、発生装置内で混合物を加熱して、吸収剤から蒸気状で冷媒を分離するとともに冷媒蒸気の圧力を上げ、（ｃ）加熱されるべき物体、媒体または空間に近接して、冷媒蒸気を凝縮装置に通し、凝縮装置内で蒸気を圧力下で液体に凝縮させ、（ｄ）液体冷媒を膨張装置に通し、膨張装置内で液体冷媒の圧力を下げて、液体と蒸気冷媒との混合物を形成させ、（ｅ）液体と蒸気冷媒との混合物を蒸発装置に通し、蒸発装置内で残りの液体を蒸発させ、冷媒蒸気を形成させ、（ｆ）蒸発装置を出る冷媒蒸気を吸収装置に通して、工程（ａ）を繰り返すとともに冷媒蒸気と吸収剤の混合物を再形成させることによる方法も提供する。
【００４１】
本発明は、吸収サイクルを実行する装置内の物体、媒体または空間を冷却する方法であって、（ａ）冷媒と吸収剤との混合物を吸収装置内で形成させ、（ｂ）混合物を発生装置に通し、発生装置内で混合物を加熱して、吸収剤から蒸気状で冷媒を分離するとともに冷媒蒸気の圧力を上げ、（ｃ）冷媒蒸気を凝縮装置に通し、凝縮装置内で蒸気を圧力下で液体に凝縮させ、（ｄ）液体冷媒を膨張装置に通し、膨張装置内で液体冷媒の圧力を下げて、液体と蒸気冷媒との混合物を形成させ、（ｅ）冷却されるべき物体、媒体または空間に近接して、液体と蒸気冷媒との混合物を蒸発装置に通し、蒸発装置内で残りの液体を蒸発させ、冷媒蒸気を形成させ、（ｆ）蒸発装置を出る冷媒蒸気を吸収装置に通して、工程（ａ）を繰り返すとともに冷媒蒸気と吸収剤の混合物を再形成させることによる方法も提供する。
【００４２】
上で記載したいずれの方法においても、工程（ｂ）で冷媒から分離された吸収剤を後の工程で用いるために再循環してもよい。
【００４３】
冷媒／吸収剤対
冷媒
本発明は、吸収サイクルにおいて用いるための冷媒対組成物であって、用途に応じて冷却のためまたは熱を発生させるために用いることができる冷媒対組成物を提供する。水は本発明において冷媒として用いられるが、ヒドロフルオロカーボン、ヒドロクロロフルオロカーボン、クロロフルオロカーボン、フルオロカーボン、窒素（Ｎ２）、酸素（Ｏ２）、二酸化炭素（ＣＯ２）、アンモニア（ＮＨ３）、アルゴン（Ａｒ）、水素（Ｈ２）ならびにＣ１〜Ｃ４直鎖、分枝または環式のアルカンおよびＣ１〜Ｃ４直鎖、分枝または環式のアルケンよりなる群から選択される非フッ素化炭化水素よりなる群から選択される他の冷媒と水の混合物も本発明の範囲内である。冷媒対の第２のメンバーは少なくとも１種のイオン液体を含んでなる。
【００４４】
ヒドロフルオロカーボン冷媒は、水素およびフッ素と炭素との任意の組み合わせを有する化合物を含んでもよく、炭素−炭素二重結合を有する公称沸点が０℃未満の化合物を含む。本発明のために有用なヒドロフルオロカーボン冷媒の例には、ジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、１，１，１−トリフルオロエタン（ＨＦＣ−１４３ａ）、１，１−ジフルオロエタン（ＨＦＣ−１５２ａ）およびフルオロエタン（ＨＦＣ−１６１）が挙げられる。本発明の１つの実施形態において、ヒドロフルオロカーボン冷媒は、ジフルオロメタン（ＨＦＣ−３２）、ペンタフルオロエタン（ＨＦＣ−１２５）、１，１，１，２−テトラフルオロエタン（ＨＦＣ−１３４ａ）、１，１，１−トリフルオロエタン（ＨＦＣ−１４３ａ）および１，１−ジフルオロエタン（ＨＦＣ−１５２ａ）よりなる群から選択される。
【００４５】
クロロフルオロカーボン冷媒は、塩素およびフッ素と炭素との任意の組み合わせを有する化合物を含んでもよく、炭素−炭素二重結合を有する公称沸点が０℃未満の化合物を含む。本発明のために有用なクロロフルオロカーボン冷媒の例はジクロロジフルオロメタン（ＣＦＣ−１２）である。
【００４６】
ヒドロクロロフルオロカーボン冷媒は、水素、塩素およびフッ素と炭素との任意の組み合わせを有する化合物を含んでもよく、炭素−炭素二重結合を有する公称沸点が０℃未満の化合物を含む。本発明のために有用なヒドロクロロフルオロカーボン冷媒の例には、クロロジフルオロメタン（ＨＣＦＣ−２２）が挙げられる。
【００４７】
フルオロカーボン冷媒は、フッ素と炭素の任意の組み合わせを有する化合物を含んでもよく、炭素−炭素二重結合を有する公称沸点が０℃未満の化合物を含む。本発明のために有用なフルオロカーボン冷媒の例には、パーフルオロメタン（ＦＣ−１４）およびパーフルオロエタン（ＦＣ−１１６）が挙げられる。
【００４８】
本発明のために有用な非フッ素化炭化水素冷媒には、メタン、エタン、エチレン、プロパン、シクロプロパン、プロピレン、ブタン、ブテンおよびイソブタンを挙げてもよい。
【００４９】
本明細書で用いられる冷媒は、水、水とＨＦＣ−３２、ＨＦＣ−１２５、ＨＦＣ−１３４、ＨＦＣ−１３４ａ、ＨＦＣ−１４３ａ、ＨＦＣ−１５２ａ、ＨＦＣ−１６１、ＨＣＦＣ−２２、ＦＣ−１４、ＦＣ−１１６、ＣＦＣ−１２、ＮＨ３、ＣＯ２、Ｎ２、Ｏ２、Ｈ２、Ａｒ、メタン、エタン、プロパン、シクロプロパン、プロピレン、ブタン、ブテンおよびイソブタンの混合物よりなる群からも選択してよい。
【００５０】
冷媒の混合物も吸収装置のために適切な沸騰温度または適切な圧力を達成するために有用である。特に、共沸混合物または定沸点混合物を形成させる混合物は時には好ましい。冷媒が吸収冷却システムから漏れる場合、混合物の最少の分別が起きるか、または分別が起きないからである。
【００５１】
吸収剤
本発明の吸収サイクルの好ましい実施形態において、用いられる吸収剤は、水を吸収するいかなるイオン液体であることも原則的に可能であるイオン液体である。水を吸収するイオン液体は、水が少なくともある程度混和性であるイオン液体であるか、または水が少なくともある程度可溶性であるイオン液体である。吸収サイクルのエネルギー効率は、イオン液体が水に対して高い吸収性を有する（すなわち、水はイオン液体と高い混和性を有するか、または水はイオン液体に大いに可溶性である）程度に正比例して増加する。
【００５２】
イオン液体は室温（約２５℃）で液体である有機化合物である。イオン液体は、非常に低い融点を有するとともに広い温度範囲にわたって液体である傾向がある点で殆どの塩とは異なる。イオン液体は本質的に蒸気圧をもたず、中性、酸性または塩基性のいずれかであることが可能である。カチオンおよびアニオンを変えることによってイオン液体の特性を調整することが可能である。本発明のイオン液体のカチオンまたはアニオンは、カチオンおよびアニオンが一緒になって、約１００℃または約１００℃未満で液体である有機塩を形成させるようないかなるカチオンまたはアニオンであることも原則的に可能である。
【００５３】
窒素含有複素環、好ましくはヘテロ芳香族環とアルキル化剤（例えば、ハロゲン化アルキル）を反応させて、第四アンモニウム塩を生成させ、イオン交換または種々のルイス酸またはルイス酸の共役塩基との適する他の反応を行って、イオン液体を生成させることにより多くのイオン液体を生成させる。適するヘテロ芳香族環の例には、置換ピリジン、イミダゾール、置換イミダゾール、ピロールおよび置換ピロールが挙げられる。これらの環を実質的にあらゆる直鎖、分枝または環式のＣ１〜２０のアルキル基でアルキル化させることが可能であるが、好ましくは、アルキル基はＣ１〜１６基である。これより大きい基がイオン液体でなく低融点固体を生成させる場合があるからである。種々のトリアリールホスフィン、チオエーテルならびに環式第四アンモニウム塩および非環式第四アンモニウム塩もこの目的のために用いてよい。用いてもよい対イオンには、クロロアルミネート、ブロモアルミネート、塩化ガリウム、テトラフルオロボレート、テトラクロロボレート、ヘキサフルオロホスフェート、ニトレート、トリフルオロメタンスルホネート、メチルスルホネート、ｐ−トルエンスルホネート、ヘキサフルオロアンチモネート、ヘキサフルオロアルセネート、テトラクロロアルミネート、テトラブロモアルミネート、パーコレート、水酸化物アニオン、二塩化銅アニオン、三塩化鉄アニオン、三塩化亜鉛アニオン、ならびに種々のランタン、カリウム、リチウム、ニッケル、コバルト、マンガンおよび他の金属含有アニオンが挙げられる。
【００５４】
イオン液体は、塩メタセシスによって、酸−塩基中和反応によって、または選択された窒素含有化合物を第四化することによって合成してもよいか、またはメルク（Ｍｅｒｃｋ）（独国ダルムシュタット（Ｄａｒｍｓｔａｄｔ，Ｇｅｒｍａｎｙ））またはバスフ（ＢＡＳＦ）（ニュージャージー州マウントオリーブ（Ｍｏｕｎｔ  Ｏｌｉｖｅ，ＮＪ））などの幾つかの会社から商業的に得てもよい。
【００５５】
本明細書において有用なイオン液体の代表的な例は、Ｊ．Ｃｈｅｍ．Ｔｅｃｈ．Ｂｉｏｔｅｃｈｎｏｌ．、６８：３５１〜３５６（１９９７）；Ｃｈｅｍ．Ｉｎｄ．、６８：２４９〜２６３（１９９６）；Ｊ．Ｐｈｙｓ．Ｃｏｎｄｅｎｓｅｄ  Ｍａｔｔｅｒ．５：（ｓｕｐｐ３４Ｂ）：Ｂ９９〜Ｂ１０６（１９９３）；Ｃｈｅｍｉｃａｌ  ａｎｄ  Ｅｎｇｉｎｅｅｒｉｎｇ  Ｎｅｗｓ、１９９８年３月３０日、３２〜３７；Ｊ．Ｍａｔｅｒ．Ｃｈｅｍ．８：２６２７〜２６３６（１９９８）；Ｃｈｅｍ．Ｒｅｖ．、９９：２０７１〜２０８４（１９９９）および国際公開第０５／１１３，７０２号パンフレット（および中で引用された参考文献）などの出典に記載されている。１つの実施形態において、イオン液体のライブラリー、すなわち、コンビナトリアルライブラリーは、例えば、第四アンモニウムカチオンの種々のアルキル誘導体を調製し、関連アニオンを変えることにより調製してもよい。ルイス酸のモル当量、およびタイプならびに組み合わせを変えることによりイオン液体の酸性度を調節することが可能である。
【００５６】
１つの実施形態において、本明細書において用いるために適するイオン液体には、以下の式から選択されるカチオンを有するイオン液体が挙げられる。
【００５７】
【化１】
2009520073.tif 000003
【００５８】
【化２】
2009520073.tif 000004
【００５９】
【化３】
2009520073.tif 000005
【００６０】
式中、Ｒ１、Ｒ２、Ｒ３、Ｒ４、Ｒ５およびＲ６は、独立して、
（ｉ）Ｈ
（ｉｉ）ハロゲン
（ｉｉｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｉｖ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｖ）Ｃ６〜Ｃ２０非置換アリール、またはＯ、Ｎ、ＳｉおよびＳよりなる群から独立して選択される１〜３個のヘテロ原子を有するＣ３〜Ｃ２５非置換ヘテロアリールおよび
（ｖｉ）Ｃ６〜Ｃ２５置換アリール、またはＯ、Ｎ、ＳｉおよびＳよりなる群から独立して選択される１〜３個のヘテロ原子を有するＣ３〜Ｃ２５置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ２５置換アリールまたはＣ３〜Ｃ２５置換ヘテロアリール
よりなる群から選択され、
Ｒ７、Ｒ８、Ｒ９およびＲ１０は、独立して、
（ｖｉｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｖｉｉｉ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｉｘ）Ｃ６〜Ｃ２５非置換アリール、またはＯ、Ｎ、ＳｉおよびＳよりなる群から独立して選択される１〜３個のヘテロ原子を有するＣ３〜Ｃ２５非置換ヘテロアリールおよび
（ｘ）Ｃ６〜Ｃ２５置換アリール、またはＯ、Ｎ、ＳｉおよびＳよりなる群から独立して選択される１〜３個のヘテロ原子を有するＣ３〜Ｃ２５置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ２５置換アリールまたはＣ３〜Ｃ２５置換ヘテロアリール
よりなる群から選択され、
場合により、Ｒ１、Ｒ２、Ｒ３、Ｒ４、Ｒ５、Ｒ６、Ｒ７、Ｒ８、Ｒ９およびＲ１０の少なくとも２つは一緒になって、環式または二環式のアルカニル基またはアルケニル基を形成する。
【００６１】
もう１つの実施形態において、本発明のために有用なイオン液体は、Ｒ１、Ｒ２、Ｒ３、Ｒ４、Ｒ５、Ｒ６、Ｒ７、Ｒ８、Ｒ９およびＲ１０から選択される少なくとも１つのメンバーがＦ−を含んでなるフッ素化カチオンを含んでなる。
【００６２】
１つの実施形態において、本明細書において有用なイオン液体は、［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および好ましくは任意のフッ素化アニオンよりなる群から選択されるアニオンを有してもよい。本明細書において有用なフッ素化アニオンには、［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−；およびＦ−が挙げられる。
【００６３】
もう１つの実施形態において、本明細書において用いるために適するイオン液体は以下の式のアニオンを有してもよい。
【００６４】
【化４】
2009520073.tif 000006
【００６５】
式中、Ｒ１１は、
（ｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（ｉｉ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（ｉｉｉ）Ｃ６〜Ｃ１０非置換アリール、またはＯ、Ｎ、ＳｉおよびＳよりなる群から独立して選択される１〜３個のヘテロ原子を有するＣ３〜Ｃ１０非置換ヘテロアリールおよび
（ｉｖ）Ｃ６〜Ｃ１０置換アリール、またはＯ、Ｎ、ＳｉおよびＳよりなる群から独立して選択される１〜３個のヘテロ原子を有するＣ３〜Ｃ１０置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ１０置換アリールまたはＣ３〜Ｃ１０置換ヘテロアリール
よりなる群から選択される。
【００６６】
もう１つの実施形態において、本明細書において用いるために適するイオン液体は、上で規定されたピリジニウム、ピリダジニウム、ピリミジニウム、ピラジニウム、イミダゾリウム、ピラゾリウム、チアゾリウム、オキサゾリウム、トリアゾリウム、ホスホニウムおよびアンモニウムよりなる群から選択されるカチオンおよび［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および任意のフッ素化アニオンよりなる群から選択されるアニオンを有してもよい。なおもう１つの実施形態において、本明細書において用いるために適するイオン液体は、上で規定されたピリジニウム、ピリダジニウム、ピリミジニウム、ピラジニウム、イミダゾリウム、ピラゾリウム、チアゾリウム、オキサゾリウム、トリアゾリウム、ホスホニウムおよびアンモニウムよりなる群から選択されるカチオンおよび［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−およびＦ−よりなる群から選択されるアニオンを有してもよい。
【００６７】
なおもう１つの実施形態において、本明細書において用いるために適するイオン液体は、上で規定されたピリジニウム、ピリダジニウム、ピリミジニウム、ピラジニウム、イミダゾリウム、ピラゾリウム、チアゾリウム、オキサゾリウム、トリアゾリウム、ホスホニウムおよびアンモニウム［式中、Ｒ１、Ｒ２、Ｒ３、Ｒ４、Ｒ５、Ｒ６、Ｒ７、Ｒ８、Ｒ９およびＲ１０から選択される少なくとも１つのメンバーはＦ−を含んでなる］よりなる群から選択されるカチオンおよび［ＣＨ３ＣＯ２］−、［ＨＳＯ４］−、［ＣＨ３ＯＳＯ３］−、［Ｃ２Ｈ５ＯＳＯ３］−、［ＡｌＣｌ４］−、［ＣＯ３］２−、［ＨＣＯ３］−、［ＮＯ２］−、［ＮＯ３］−、［ＳＯ４］２−、［ＰＯ４］３−、［ＨＰＯ４］２−、［Ｈ２ＰＯ４］−、［ＨＳＯ３］−、［ＣｕＣｌ２］−、Ｃｌ−、Ｂｒ−、Ｉ−、ＳＣＮ−、および任意のフッ素化アニオンよりなる群から選択されるアニオンを有してもよい。なおもう１つの実施形態において、本明細書において用いるために適するイオン液体は、上で規定されたピリジニウム、ピリダジニウム、ピリミジニウム、ピラジニウム、イミダゾリウム、ピラゾリウム、チアゾリウム、オキサゾリウム、トリアゾリウム、ホスホニウムおよびアンモニウム［式中、Ｒ１、Ｒ２、Ｒ３、Ｒ４、Ｒ５、Ｒ６、Ｒ７、Ｒ８、Ｒ９およびＲ１０の少なくとも１つのメンバーはＦ−を含んでなる］よりなる群から選択されるカチオンおよび［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−およびＦ−よりなる群から選択されるアニオンを有してもよい。
【００６８】
なおもう１つの実施形態において、本発明において用いるために適するイオン液体は、
ａ）カチオンとしてのイミダゾリウム、および［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−、［ＣＨ３ＯＳＯ３］−よりなる群から選択されるアニオン、
ｂ）カチオンとしての１−ブチル−３−メチルイミダゾリウム、および［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−よりなる群から選択されるアニオン、
ｃ）カチオンとしての１−プロピル−２，３−ジメチルイミダゾリウム、および［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、および［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−よりなる群から選択されるアニオン、
ｄ）カチオンとしての１−エチル−３−メチルイミダゾリウム、およびアニオンとしての［（ＣＦ３ＣＦ２ＳＯ２）２Ｎ］−、［ＰＦ６］−および［ＨＣＦ２ＣＦ２ＳＯ３］−、
ｅ）カチオンとしての１−プロピル−３−メチルピリジニウム、および［ＢＦ４］−、［ＰＦ６］−、［ＳｂＦ６］−、［ＣＦ３ＳＯ３］−、［ＨＣＦ２ＣＦ２ＳＯ３］−、［ＣＦ３ＨＦＣＣＦ２ＳＯ３］−、［ＨＣＣｌＦＣＦ２ＳＯ３］−、［（ＣＦ３ＳＯ２）２Ｎ］−、［（ＣＦ３ＣＦ２ＳＯ２）２Ｎ］−、［（ＣＦ３ＳＯ２）３Ｃ］−、および［ＣＦ３ＣＯ２］−、［ＣＦ３ＯＣＦＨＣＦ２ＳＯ３］−、［ＣＦ３ＣＦ２ＯＣＦＨＣＦ２ＳＯ３］−、［ＣＦ３ＣＦＨＯＣＦ２ＣＦ２ＳＯ３］−、［ＣＦ２ＨＣＦ２ＯＣＦ２ＣＦ２ＳＯ３］−、［ＣＦ２ＩＣＦ２ＯＣＦ２ＣＦ２ＳＯ３］−、［ＣＦ３ＣＦ２ＯＣＦ２ＣＦ２ＳＯ３］−、［（ＣＦ２ＨＣＦ２ＳＯ２）２Ｎ］−、［（ＣＦ３ＣＦＨＣＦ２ＳＯ２）２Ｎ］−よりなる群から選択されるアニオン、
ｆ）カチオンとしての１，２−ジメチル−３−プロピルイミダゾリウム、および［（ＣＦ３ＳＯ２）３Ｃ］−および［（ＣＦ３ＳＯ２）２Ｎ］−よりなる群から選択されるアニオン、
ｇ）カチオンとしての３−メチル−プロピルピリジニウム、およびアニオンとしての［（ＣＦ３ＳＯ２）２Ｎ］−、
ｈ）カチオンとしての１−ブチル−３−メチルピリジニウム、およびアニオンとしての［（ＣＦ３ＳＯ２）２Ｎ］−、
ｉ）カチオンとしての１−ドデシル−３−メチルイミダゾリウム、およびアニオンとしての［ＨＣＦ２ＣＦ２ＳＯ３］−、
ｊ）カチオンとしての１−ヘプチル−３−メチルイミダゾリウム、およびアニオンとしての［ＨＣＦ２ＣＦ２ＳＯ３］−、
ｋ）カチオンとしてのテトラデシル（トリヘキシル）ホスホニウム、およびアニオンとしての［ＣＦ３ＣＦ２ＯＣＦＨＣＦ２ＳＯ３］−または［ＣＦ３ＯＣＦＨＣＦ２ＳＯ３］−、
ｌ）カチオンとしてのトリブチル（テトラデシル）ホスホニウム、およびアニオンとしての［ＣＦ３ＨＦＣＣＦ２ＳＯ３］−、
ｍ）カチオンとしての１，３−ジオクチルイミダゾリウムまたは１−オクチル−３−メチルイミダゾリウム、およびアニオンとしての［Ｉ］−、
を有してもよい。
【００６９】
本発明のなおもう１つの実施形態において、本明細書において用いるために適するイオン液体において、カチオンは１−エチル−３−メチルイミダゾリウムであり、アニオンはテトラフルオロボレートである。
【００７０】
一般に、水は、ある程度親水性であるイオン液体とより混和性またはイオン液体に可溶性であることが予想されるであろう。従って、少なくとも１つのアルコール側鎖を有するカチオンを有するイオン液体または少なくとも１つのアセテート基またはスルフェート基を有するアニオンを含んでなるイオン液体は、本発明の種々の実施形態において用いるために望ましい選択であろう。水は、同様に、特に蒸発装置の運転から発生装置の運転までの吸収システムの運転の温度範囲にわたって好ましくは本明細書で用いられるイオン液体と混和性またはイオン液体に可溶性である。蒸発装置の温度は約５℃ほどに低いことが可能である。単一効用蒸発装置の温度は約１５０℃ほどに高いことが可能である一方で、複効発生装置の温度は約２００℃ほどに高いことが可能である。結果として、約５℃〜約２００℃の温度範囲にわたって、吸収サイクルにおける冷媒と吸収剤の相対含有率の様々な異なるレベルは適し、水とイオン液体から形成される組成物中の水またはイオン液体のいずれかの濃度は、組成物中のイオン液体および水の総合重量の約１〜約９９重量％の範囲内であってもよい。
【００７１】
本発明の種々の実施形態において、本明細書で記載されたか、または開示された個々のカチオンのいずれかを選択することにより、およびカチオンと対をなす本明細書で記載されたか、または開示された個々のアニオンのいずれかを選択することによって形成されたイオン液体は、吸収加熱サイクルまたは吸収冷却サイクルにおいて吸収剤として用いてもよい。対応して、なお他の実施形態において、（ｉ）全グループの個々のメンバーのすべての種々の異なる組み合わせの中の本明細書に記載され開示されたカチオンの全グループから取られたカチオンの任意のサイズのサブグループおよび（ｉｉ）全グループの個々のメンバーのすべての種々の異なる組み合わせの中の本明細書に記載され開示されたアニオンの全グループから取られたアニオンの任意のサイズのサブグループを選択することにより形成されたイオン液体のサブグループを吸収剤として用いてもよい。前述したように選択することによってイオン液体またはイオン液体のサブグループを形成させる際に、イオン液体またはサブグループは、選択するために、カチオンおよび／またはアニオンの全グループから省かれるカチオンおよび／またはアニオンのグループのメンバーの存在しない状態で用いられ、望ましい場合、従って、用いるために含まれるグループのメンバーでなく使用から省かれる全グループのメンバーに関して選択してもよい。
【００７２】
イオン液体の混合物も吸収剤として本明細書で用いてよく、こうした混合物は、特に吸収装置と組み合わせて用いてもよいアルコール、エステルまたはエーテルなどの他の成分と水が混合される場合、例えば、適切な吸収挙動を達成するために望ましい場合がある。
【００７３】
潤滑剤、腐食抑制剤、安定剤、染料および他の適切な材料などの添加剤を様々な目的で本発明のために有用な冷媒対組成物に添加してもよい。但し、水がイオン液体吸収剤に可溶性である程度に及ぼす望ましくない影響を添加剤が及ぼさないことを条件とする。本発明の冷媒対組成物は、例えば、回転混合エレメントを有する既知タイプの攪拌機を用いて適切な容器内の所望量の各成分を混合するか、または組み合わせることを含む、便利な任意の方法によって調製してもよい。
【００７４】
冷媒および／または吸収剤の吸収サイクルにおける性能を評価する便利な方法は、温度−圧力−濃度（ＴＰＸ）線図およびエンタルピ−温度（ＨＴ）線図などの熱力学的特性チャートを用いることである。これらのチャートは、蒸気圧縮サイクル分析においてよく知られているＰＨ（圧力−エンタルピー）線図またはＴＳ（温度−エンタルピー）線図に対応する。しかし、これらのチャートの使用は吸収サイクルの特定のケースに適応させる。蒸気の圧縮がコンプレッサを用い、圧縮プロセスが理論的に単一等エントロピー経路である一方で、吸収サイクルはいわゆる発生装置−吸収装置溶液回路を用い、幾つかの熱力学的プロセスが関わるからである。
【００７５】
蒸気圧縮サイクルにおけるＰＨ線図またはＴＳ線図は、状態式（ＥＯＳ）を用いて作られ、サイクル性能およびすべての熱力学的特性を計算することが可能である。吸収サイクルのための熱力学的チャートは、気相特性を冷媒ＥＯＳにより計算しつつ、溶液特性のための実験的な溶解度データおよび熱容量データに当てはめられる経験的な相関式によって通常は作られる。溶解度データは、場合によって、理論溶液（しばしば「活性度」と呼ばれる）モデル（ネズ，Ｙ．（Ｎｅｚｕ，Ｙ．）上掲、ファトー，Ｍ（Ｆａｔｏｕｈ，Ｍ）およびマーシーＳ．Ｓ．（Ｍｕｒｔｈｙ  Ｓ．Ｓ．）「再生可能エネルギー（Ｒｅｎｅｗａｂｌｅ  Ｅｎｅｒｇｙ）」、１９９３、３：３１〜３７」；バート，Ｍ．Ｓ．（Ｂｈａｔｔ，Ｍ．Ｓ．）ら［熱回収システムおよびＣＨＰ（Ｈｅａｔ  Ｒｅｃｏｖｅｒｙ  Ｓｙｓｔｅｍ  ＆  ＣＨＰ）、１９９２、１２：２２５〜２３３］；ネス，Ｈ．Ｃ．Ｖ．（Ｎｅｓｓ，Ｈ．Ｃ．Ｖ．）およびアボット，Ｍ．Ｍ．（Ａｂｂｏｔｔ，Ｍ．Ｍ．）［相平衡への応用による非電解質溶液の古典的熱力学（Ｃｌａｓｓｉｃａｌ  Ｔｈｅｒｍｏｄｙｎａｍｉｃｓ  ｏｆ  Ｎｏｎｅｌｅｃｔｒｏｌｙｔｅ  Ｓｏｌｕｔｉｏｎｓ  ｗｉｔｈ  Ａｐｐｌｉｃａｔｉｏｎｓ  ｔｏ  Ｐｈａｓｅ  Ｅｑｕｉｌｉｂｒｉａ）、１９８２、ニューヨークのマグローヒル（ＭｃＧｒａｗ−Ｈｉｌｌ，Ｎｅｗ  Ｙｏｒｋ］）を用いて相関させてもよい。しかし、こうしたモデルは、冷媒臨界温度より十分に低い温度に使用において限定され、高い発生装置温度でのモデル溶液は無効になる場合がある。経験式または部分補正式と気相ＥＯＳの組み合わせ使用は、完全に一定であるとは限らない場合があり、熱力学的に健全なＥＯＳにより吸収サイクルプロセスをモデル化することが望ましい。ＥＯＳの使用によって、冷媒の臨界温度より上でさえ、熱力学的特性を正確に計算することが可能である。
【００７６】
ＥＯＳにより冷媒混合物をモデル化することは周知であるが、冷媒と不揮発性化合物の混合物は、空調エンジニアおよび冷凍エンジニアによって経験的な相関モデルで伝統的に処理されている。例えば、冷媒−潤滑油溶解度。こうした混合物のためにＥＯＳを用いる際の困難な問題の１つが、臨界パラメータおよび蒸気圧データに関する多くの情報なしに不揮発性化合物のためのＥＯＳパラメータを設定する方法を決定するが、ヨコゼキ，Ａ．（Ｙｏｋｏｚｅｋｉ，Ａ．）［Ｐｒｏｃ．Ｉｎｔｌ．Ｃｏｍｐｒｅｓｓｏｒ  Ｅｎｇ．Ｃｏｎｆ．ａｔ  Ｐｕｒｄｕｅ、１９９４、１：３３５〜３４０］；ヨコゼキ，Ａ．（Ｙｏｋｏｚｅｋｉ，Ａ．）［Ｉｎｔｌ．Ｊ．Ｔｈｅｒｍｏｐｈｙｓ、２００１、２２：１０５７〜１０７１］およびヨコゼキ，Ａ．（Ｙｏｋｏｚｅｋｉ，Ａ．）［Ａｐｐｌｉｅｄ  Ｅｎｅｒｇｙ、２００５、８０：３８３〜３９９］においてより完全に記載されたように、ＥＯＳモデルは、冷媒−潤滑油の溶解度データにうまく適用されてきた。従って、類似のＥＯＳモデルを本明細書において用いて、新規吸収サイクル流体対として本明細書で開示された冷媒およびイオン液体の有用性の指標として用いるためのすべての熱力学的特性を一貫して計算することが可能である（ティルナー−ロスＲ（Ｔｉｌｌｎｅｒ−Ｒｏｔｈ  Ｒ）およびフレンドＤＧ（Ｆｒｉｅｎｄ  ＤＧ）［Ｊ．Ｐｈｙｓ．Ｃｈｅｍ．Ｒｅｆ．Ｄａｔａ、１９９８、２７、６３−９６］）。
【００７７】
冷媒／イオン液体組成物をモデル化するために、三次状態方程式（ＥＯＳ）の一般レドリッヒ・クゥオン（Ｒｅｄｌｉｃｈ−Ｋｗｏｎｇ）（ＲＫ）タイプを次の通り用いてもよい。
【００７８】
【数１】
2009520073.tif 000007
【００７９】
純化合物に関するＥＯＳにおけるａパラメータの温度依存部分は、以下の経験的な形態によってモデル化される（ヨコゼキ，Ａ．（Ｙｏｋｏｚｅｋｉ，Ａ．）［Ｉｎｔｌ．Ｊ．Ｔｈｅｒｍｏｐｈｙｓ、２００１、２２：１０５７〜１０７１］、ヨコゼキ，Ａ．（Ｙｏｋｏｚｅｋｉ，Ａ．）［Ａｐｐｌｉｅｄ  Ｅｎｅｒｇｙ、２００５、８０：３８３〜３９９］、シフレット，Ｍ．Ｂ．（Ｓｈｉｆｌｅｔｔ，Ｍ．Ｂ．）およびヨコゼキ，Ａ．（Ｙｏｋｏｚｅｋｉ，Ａ．）［Ｉｎｄ．Ｅｎｇ．Ｃｈｅｍ．Ｒｅｓ．２００５、４４：４４５３〜４４６４］）。
【００８０】
【数２】
2009520073.tif 000008
【００８１】
係数βｋは純化合物ごとの蒸気圧を再現するように決定される。
【００８２】
しかし、吸収剤に関して、蒸気圧データは、通常は入手できないか、または蒸気圧は応用温度で実際的に零であり、更に、臨界パラメータ（ＴｃおよびＰｃ）に関するデータは存在しない。しかしながら、吸収剤の臨界パラメータを種々の方法で推定することが可能である（レイドＲＣ（Ｒｅｉｄ  ＲＣ））ら、「気体と液体の特性（Ｐｒｏｐｅｒｔｉｅｓ  ｏｆ  Ｇａｓｅｓ  ＆  Ｌｉｑｕｉｄｓ）」、第４版、［ニューヨークのマグローヒル（ＭｃＧｒａｗ−Ｈｉｌｌ，Ｎｅｗ  Ｙｏｒｋ  １９８７］）。（ヨコゼキ，Ａ．（Ｙｏｋｏｚｅｋｉ，Ａ．）［Ｉｎｔ．Ｊ．Ｔｈｅｒｍｏｐｈｙｓ、２００１、２２：１０５７〜１０７１］に記載されるように、高沸点化合物に関する臨界パラメータの推定は溶解度（ＰＴｘ）データを相関させるために十分である。しかし、冷媒−吸収剤混合物のＰＴｘデータを相関させるとき、吸収剤に関するａパラメータの温度依存部分は大きい。但し、吸収剤の蒸気圧は対象の温度で本質的に零である。ここで、吸収剤に関するα（Ｔ）は、冷媒−潤滑油の混合物の場合のために適用される式４の２つのみの項によってモデル化される。（ヨコゼキ，Ａ．（Ｙｏｋｏｚｅｋｉ，Ａ．）、２００１、上掲）。
【００８３】
【数３】
2009520073.tif 000009
【００８４】
式６の係数βｌは調節できる当てはめパラメータとして処理される。
【００８５】
そして、一般Ｎ−成分混合物のためのａおよびｂパラメータは、修正ファンデルワールス−ベルテロー混合式としてみなされ得る二元相互作用パラメータに関してモデル化される（ヨコゼキ，Ａ．（Ｙｏｋｏｚｅｋｉ，Ａ．）［Ａｐｐｌｉｅｄ  Ｅｎｅｒｇｙ、２００５、８０：３８３〜３９９］；およびシフレット，ＭＢ（Ｓｈｉｆｌｅｔｔ，ＭＢ）およびヨコゼキ，Ａ．（Ｙｏｋｏｚｅｋｉ，Ａ．）上掲）。
【００８６】
【数４】
2009520073.tif 000010
【００８７】
Ｔｃｉ：ｉ番目の化学種の臨界温度
Ｐｃｉ：ｉ番目の化学種の臨界圧力
ｘｉ：ｉ番目の化学種のモル分率
【００８８】
本モデルにおいて、４つの二元相互作用パラメータ、ｌｉｊ、ｌｊｉ、ｍｉｊ、および二元対ごとのτｉｊが存在する。式５でｌｉｊ＝ｌｊｉおよび式８でτｉｊ＝０である時、式７はａパラメータに関して普通の二次混合則になる。本ＥＯＳモデルは、種々の冷媒／油の混合物（ヨコゼキ，Ａ．（Ｙｏｋｏｚｅｋｉ，Ａ．）、２００１、上掲）およびアンモニア／ブタン混合物（ヨコゼキ，Ａ．（Ｙｏｋｏｚｅｋｉ，Ａ．）、［Ｐｒｏｃ．Ｉｎｔ．Ｃｏｎｇｒｅｓｓ  ｏｆ  Ｒｅｆｒｉｇｅｒａｔｉｏｎ  Ｗａｓｈｉｎｇｔｏｎ，Ｄ．Ｃ．２００３］）；および「エコリブリウム（ＥｃｏＬｉｂｒｉｕｍ）（登録商標）（２００４、３、２０〜２４）などの、極性およびサイズに関して高度に非対称である混合物のためにうまく適用されてきた。
【００８９】
相平衡（溶解度）計算に関して、化合物ごとのフガシティー係数φｉが必要とされ、本混合則に関して誘導されている。
【００９０】
【数５】
2009520073.tif 000011
【００９１】
本研究に関連した熱力学的に誘導された機能はエンタルピー（Ｈ）であり、それは以下によって一般形態で与えられる。
【００９２】
【数６】
2009520073.tif 000012
【００９３】
式中、Ｃは任意の定数であり、それは好みの任意の値であることが可能であるが、対象のシステム内の任意の成分混合物に関して同じ定数でなければならない。式１３の化合物
【００９４】
【数７】
2009520073.tif 000013
【００９５】
ごとの理想気体熱容量を多基準形態でモデル化する。
【００９６】
【数８】
2009520073.tif 000014
【００９７】
図１に示した吸収加熱サイクルまたは吸収冷却サイクルのための理論サイクル性能を次の通りモデル化する。全体的なエネルギー収支は以下を与える。
【００９８】
【数９】
2009520073.tif 000015
【００９９】
吸収装置または発生装置における物質収支から、
【０１００】
【数１０】
2009520073.tif 000016
【０１０１】
これは、以下によって定義される質量−流速比を提供する。
【０１０２】
【数１１】
2009520073.tif 000017
【０１０３】
式中、ｘは溶液中の吸収剤の質量分率であり、下付き文字ａおよびｇは吸収装置溶液および発生装置溶液を表す。ｍｒおよびｍｓは、それぞれ気体冷媒および吸収装置出口溶液の質量流速（または溶液ポンピング速度）である。
【０１０４】
熱交換装置中の一単位の伝熱効率を仮定するとき、エネルギー収支式は以下のようになる。
【０１０５】
【数１２】
2009520073.tif 000018
【０１０６】
式中、Ｈはエンタルピーであり、下付き数字（１、２、３および４）は、図１に示した場所に対応する。式１８から、発生装置入口エンタルピーＨｌを得ることが可能である。
【０１０７】
【数１３】
2009520073.tif 000019
【０１０８】
発生装置の周りのエネルギー収支から、発生装置熱インプットＱｇ
は以下によって与えられる。
【０１０９】
【数１４】
2009520073.tif 000020
【０１１０】
式１９によりこの式からＨ１を消去することにより、式２０を次の通り書くことが可能である。
【０１１１】
【数１５】
2009520073.tif 000021
【０１１２】
同様に、吸収装置内の排熱Ｑａ
は以下によって与えられる。
【０１１３】
【数１６】
2009520073.tif 000022
【０１１４】
それぞれ凝縮装置および蒸発装置の熱／単位質量流量は以下の通りである。
【０１１５】
【数１７】
2009520073.tif 000023
【０１１６】
それから、システム性能を熱比率η（出力パワーを入力パワーで除したもの）によって定義する。
【０１１７】
【数１８】
2009520073.tif 000024
【０１１８】
しかし、溶液ポンピング力Ｗｐは、通常はＱｇ
より遙かに小さい。そして次の通り定義されるＣＯＰ（性能係数）を用いるのが通例である。
【０１１９】
【数１９】
2009520073.tif 000025
【０１２０】
これをＨおよびｆに関して表現することが可能である。
【０１２１】
【数２０】
2009520073.tif 000026
【０１２２】
すべての場所でのエンタルピーならびに吸収装置および発生装置における溶解度は、上述したＥＯＳモデルの使用によって熱力学的に一貫して計算される。
【０１２３】
冷媒のための純成分ＥＯＳ定数は、（ヨコゼキ，Ａ．（Ｙｏｋｏｚｅｋｉ，Ａ．）、２００１、上掲）および（ヨコゼキ，Ａ．（Ｙｏｋｏｚｅｋｉ，Ａ．）、（Ｐｒｏｃ．Ｉｎｔ．Ｃｏｎｇｒｅｓｓ  ｏｆ  Ｒｅｆｒｉｇｅｒａｔｉｏｎ  Ｗａｓｈｉｎｇｔｏｎ，Ｄ．Ｃ．２００３）および「エコリブリウム（ＥｃｏＬｉｂｒｉｕｍ）」（登録商標）（２００４、３、２０〜２４）から取られてきた。そして実施例１、表１に記載している。この研究において選択された吸収剤に関して、臨界パラメータは原子団寄与法（レイドＲＣ（Ｒｅｉｄ  ＲＣ）ら、上掲）から推定され、これも実施例１、表１に示している。これらの高沸点材料に関する臨界パラメータの精度は、溶解度データ（ヨコゼキ，Ａ．（Ｙｏｋｏｚｅｋｉ，Ａ．）、２００１、上掲）を相関させるためにより重要でない。しかし、上述したように、式６のβ１パラメータは重要であることが可能であり、二元溶解度データの分析における調節可能なパラメータとして処理される。
【０１２４】
ＥＯＳにより熱特性を計算するために、純化合物ごとの理想気体熱容量は温度の関数として必要とされる。式１４参照。式１４に関する係数は、実施例１、表２に記載され、表２における吸収剤に関する係数は、原子団寄与法（レイドＲＣ（Ｒｅｉｄ  ＲＣ）ら、上掲）からすべて推定されてきた。
【０１２５】
次に、フルオロカーボン／イオン液体二元混合物の溶解度（ＶＬＥ：蒸気−液体平衡）データは、混合物のためのＥＯＳパラメータを決定するために分析される。４つの二元相互作用パラメータ、ｌｉｊ、ｌｊｉ、ｍｉｊ、およびτｉｊならびに二元対ごとの吸収剤β１パラメータは、相対差圧の目的関数による非線形最小二乗分析によって決定されてきた。選択された二元混合物に関する結果を実施例１、表３に示している。
【０１２６】
吸収加熱サイクルまたは吸収冷却サイクルの理論的性能の評価は、図１に示した単純理想サイクルおよび本理論モデルに基づいている。ここで、ポンピングパワーＷｐは無視される。Ｗｐが他の熱パワーと比較して通常は大きくないからである。更に、次のように幾つかの仮定がなされている。
（１）接続ラインの中に圧力低下がない。
（２）凝縮装置から蒸発装置までの冷媒膨張プロセスは、蒸気圧縮サイクル計算において通常行われるように等エンタルピーである。図１の点７（蒸発装置の出口）の条件はＴ＝Ｔｅｖａの純冷媒露点である。
（３）点６の条件は冷媒泡立ち点であり、わずかに冷却された液体は存在しない。点５（凝縮装置の入口）の条件は、Ｐ＝ＰｃｏｎおよびＴ＝Ｔｇの純冷媒の過熱状態である。
（４）凝縮装置および発生装置内の圧力（ＰｃｏｎおよびＰｇ）は同じであり、蒸発装置および吸収装置の圧力（ＰｅｖａおよびＰａ）は同様に等しい。
（５）点３（吸収装置への溶液入口）の条件は、吸収装置圧力（Ｐａ）および発生装置の溶液濃度（ｘｇ）により規定された溶液の泡立ち点である。
（６）発生装置（Ｔｇ）、吸収装置（Ｔａ）、凝縮装置（Ｔｃｏｎ）および蒸発装置（Ｔｅｖａ）内の温度は、所定のサイクル条件として規定される。
（７）冷媒ガス流速（ｍｒ）は、大部分の損失なしに１ｋｇ・ｓ−１に設定され、吸収剤蒸気は無視される。
【０１２７】
サイクル循環の第１の行程は、所定の温度、泡立ち点Ｐルーティン（ネスＨＣＶ（Ｎｅｓｓ  ＨＣＶ）ら、上掲）で純冷媒の飽和蒸気圧としてＰｅｖａおよびＰｃｏｎを得ることである。次に、通常のＴＰ（温度−圧力）フラッシュルーティン（ネスＨＣＶ（Ｎｅｓｓ  ＨＣＶ）ら、上掲）を用いて、発生装置および吸収装置内の吸収剤組成ｘｇおよびｘａを計算する。これは、式１７においてｆ（流速比）を提供する。点３の熱力学的特性を仮定（５）：泡立ち点Ｔルーティン（ネスＨＣＶ（Ｎｅｓｓ  ＨＣＶ）ら、上掲）から決定する。点１のエンタルピーは式１９から得られる。他のすべての点のエンタルピーは、既知のＴ、Ｐおよび組成により容易に計算される。従って、性能評価のために必要な量は記載された式を用いて得ることが可能である。本二元システムに関するサイクル性能は、選択された熱力学的量と合わせて実施例１、表４に要約されている。表４において、サイクル条件に関する規定温度は、Ｔｇ／Ｔｃｏｎ／Ｔａ／Ｔｅｖａ＝１００／４０／３０／１０℃であり、ｍｒ＝１ｋｇ・ｓ−１である。
【０１２８】
周知の冷媒−吸収剤対、ＮＨ３／Ｈ２ＯおよびＨ２Ｏ／ＬｉＢｒも計算した。それを比較のために実施例１、表４に示している。ＮＨ３／Ｈ２Ｏの場合、吸収剤Ｈ２Ｏは発生装置出口で無視できない蒸気圧を有し、実用的な用途において、吸収剤水から冷媒を分離するために精留（蒸留）装置を必要とする。精留装置のゆえの蒸気圧および余分の電力用件の影響は無視されてきた。従って、計算されたＣＯＰは、本性能比較のために過大に推定されている。Ｈ２Ｏ／ＬｉＢｒに関して、ＥＯＳモデルは開発されなかった。代わりに、熱力学的特性に関する経験的な相関線図を用いた（ストーカー（Ｓｔｏｅｃｋｅｒ）およびジョーンズ（Ｊｏｎｅｓ）、「冷凍および空調（Ｒｅｆｒｉｇｅｒａｔｉｏｎ  ａｎｄ  Ａｉｒ  Ｃｏｎｄｉｔｉｏｎｉｎｇ）」［ニューヨークのマグローヒル（ＭｃＧｒａｗ−Ｈｉｌｌ，Ｎｅｗ  Ｙｏｒｋ）、１９８２、３２８〜３５０］における温度−圧力−濃度線図およびエンタルピー−温度線図）。
【０１２９】
本明細書に記載されたＥＯＳを用いて吸収冷凍サイクルに関するサイクル計算を容易に行ってもよいが、結果の分析は、普通の蒸気圧縮サイクルの場合に用いられるのとは異なるアプローチを必要とする。後者の場合、高圧／高温冷媒ガスを蒸気圧縮装置によって生成させる。ここで、熱力学的プロセスは理論的に単一等エントロピー行程である。圧縮装置の入口および出口エンタルピーは圧縮装置の仕事を表現するために十分である。しかし、吸収サイクルにおいて、対応する高圧／高温ガスを発生させるプロセスは、より複雑であり、幾つかの異なる場所でのエンタルピー、および式１７、２１および２２で見られるように（ｆ値を基準として）吸収装置および発生装置での冷媒−吸収剤溶解度差を知ることが必要である。
【０１３０】
凝縮装置および蒸発装置の性能は所定の温度で両方のサイクルに関して同じであり、蒸発（または凝縮）の潜熱に基づいて理解してもよい。一般に、冷凍効果は蒸発装置での潜熱であり、それはＴｃとＴｅｖａの間の温度差の増加につれて増加する。従って、所定のＴｅｖａにおいて、潜熱はより高いＴｃで冷媒に関してより大きい。更に、モル潜熱（Ｊ／モル）は、沸点（またはＴｃから遠方）で冷媒の間で一般にそれほどは異ならない一方で、比潜熱（Ｊ／ｋｇ）は分子量の大きな差のゆえに大幅に異なることが可能である。これらのファクターは、計算された冷凍力Ｑｅ
における大きな差を説明することが可能である。
【０１３１】
吸収加熱サイクルまたは吸収冷却サイクルにおいて用いられる吸収剤は、望ましくは、冷媒（例えば、水）に対して高い溶解度および冷媒を基準にして非常に高い沸点も有する化合物である。実施例１、表４は、０．５２５／１８．２のＣＯＰ／ｆ値を有する水＋［エミン］［ＢＦ４］のシステムを例示している。
【０１３２】
本発明は、本発明の吸収サイクルを用いるデバイスも提供する。本発明のデバイスには、冷凍機、自動車、空調機、住宅空調機、商用空調機、輸送空調機、商用製氷機、輸送製氷機および工業冷却システムが挙げられるが、それらに限定されない。
【０１３３】
本発明において用いるために適する冷媒およびイオン液体、およびそれらの使用の方法は米国特許出願第１１／３４６，０２８号明細書および米国特許出願第１１／４３５，３５２号明細書にも記載されている。これらの特許出願の各々はすべての目的で全体が参照により本明細書の一部として援用される。
【０１３４】
本発明の利点を例示するとともに本発明の利点を作り用いる際に当業者を支援するために以下の実施例を提示する。これらの実施例は本開示の範囲を限定することを別段に決して意図していない。
【０１３５】
一般的方法および材料
１−エチル−３−メチルイミダゾリウムテトラフルオロボレート（［エミン］［ＢＦ４］、Ｃ６Ｈ１１Ｎ２Ｆ４Ｂ、分子量１９７．９８ｇ／モル−１、ロットおよびフィリングコード１１６７４５０５０７０５１１６）を、９７％を上回る純度でフルカ・ケミカ（Ｆｌｕｋａ  Ｃｈｅｍｉｋａから購入した（ミズーリ州セントルイスのシグマアルドリッチ（Ｓｉｇｍａ−Ａｌｄｒｉｃｈ（Ｓｔ．Ｌｏｕｉｓ，ＭＯ））から購入してもよい）。
以下の名称および略語を用いる。
ａｉ＝ｉ番目の化学種の一般ＲＫ  ＥＯＳパラメータ（ｍ６・ＭＰａ・モル−２）
ｂｉ＝ｉ番目の化学種の一般ＲＫ  ＥＯＳパラメータ（ｍ３・モル−１）
Ｃｉ＝理想気体の熱容量係数
【０１３６】
【数２１】
2009520073.tif 000027
【０１３７】
＝ｉ番目の化学種の理想気体熱容量（Ｊ・モル−１・Ｋ−１）
ＣＯＰ＝性能の係数
ｆ＝質量流速比
ｆ（Ｔ）＝二元相互作用パラメータの温度依存項、１＋τｉｊ／Ｔ
Ｈｉ＝点ｉでのエンタルピー（Ｊ・ｋｇ−１）
ｋｉｊ、ｋｊｉ、ｌｉｊ、ｌｊｉ＝二元相互作用パラメータ
ｍｉｊ＝二元相互作用パラメータ
ｍｓ＝溶液の質量流速（ｋｇ・ｓ−１）
ｍｒ＝冷媒の質量流速（ｋｇ・ｓ−１）
Ｐ＝圧力（ＭＰａ）
Ｐｃｉ＝ｉ番目の化学種の臨界圧力（ＭＰａ）
Ｑｉ＝熱（ｋＷ）
Ｒ＝気体定数（８．３１４３４ｍ３・Ｐａ・モル−１・Ｋ−１）
Ｔｃｉ＝ｉ番目の化学種の臨界温度（Ｋ）
Ｔ＝温度（Ｋ）
Ｖｉ＝ｉ番目の化学種の体積（ｍ３）
【０１３８】
【数２２】
2009520073.tif 000028
【０１３９】
＝モル体積（ｍ３・モル−１）
Ｗｉ＝仕事（ｋＷ）
ｘｉ＝ｉ番目の化学種のモル分率
α＝ＥＯＳ温度依存パラメータ
βｋ＝温度依存パラメータの係数
ρｇ＝ガスの密度（ｋｇ・ｍ−３）
φｉ＝フガシティー係数（ＭＰａ）
η＝熱比率（出力パワーを入力パワーで除したもの）
τｉｊ＝温度依存項ｆ（Ｔ）のための二元相互作用パラメータ（Ｋ）
単位
Ｐａ≡パスカル
ＭＰａ≡メガパスカル
モル（ｍｏｌ）≡モル（ｍｏｌｅ）
ｍ≡メートル
ｃｍ≡センチメートル
ｋＷ≡キロワット
Ｋ≡ケルビン
Ｎ≡ニュートン
Ｊ≡ジュール
ｋＪ≡キロジュール
ｋｇ≡キログラム
ｍｇ≡ミリグラム
μｇ≡マイクログラム
Ｔ≡温度
Ｐ≡圧力
ｍｂａｒ≡ミリバール
ｍｉｎ≡分
℃≡度摂氏
ｓｅｃ≡秒
【実施例】
【０１４０】
実施例１
吸収冷却プロセス
【０１４１】
【表１】
2009520073.tif 000029
【０１４２】
【表２】
2009520073.tif 000030
【０１４３】
【表３】
2009520073.tif 000031
【０１４４】
【表４】
2009520073.tif 000032
【０１４５】
実施例２
１−エチル−３−メチルイミダゾリウムテトラフルオロボレート（［エミン］［ＢＦ４］）中の水の溶解度
４０〜１３０℃の温度範囲および［エミン］［ＢＦ４］中の０〜１００モル％水の組成範囲にわたって上述した状態式を用いて水中の［エミン］［ＢＦ４］に関する溶解度データをモデル化した（図２参照）。１００℃および１３０℃での観察されたデータ点はセイラー（Ｍ．Ｓｅｉｌｅｒ）ら（ＡＩＣｈＥ  Ｊ．（２００４）第５０巻、２４２９）からのものである。
【図面の簡単な説明】
【０１４６】
【図１】単純な冷凍サイクルの概略図である。
【図２】４０〜１３０℃の水中の１−エチル−３−メチルイミダゾリウムテトラフルオロボレートの溶解度線図である。
【図１】
2009520073.tif 000037
【図２】
2009520073.tif 000038
【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
水と、水を吸収する少なくとも１種のイオン液体とを含んでなる組成物。
【請求項２】
イオン液体が以下の１１種のカチオンよりなる群から選択されるカチオンを含んでなる請求項１に記載の組成物。
【化１】
2009520073.tif 000039
【化２】
2009520073.tif 000040
【化３】
2009520073.tif 000041
［式中、Ｒ１、Ｒ２、Ｒ３、Ｒ４、Ｒ５およびＲ６は、独立して、
（ｉ）Ｈ
（ｉｉ）ハロゲン
（ｉｉｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｉｖ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｖ）Ｃ６〜Ｃ２０非置換アリール、またはＯ、Ｎ、ＳｉおよびＳよりなる群から独立して選択される１〜３個のヘテロ原子を有するＣ３〜Ｃ２５非置換ヘテロアリールおよび
（ｖｉ）Ｃ６〜Ｃ２５置換アリール、またはＯ、Ｎ、ＳｉおよびＳよりなる群から独立して選択される１〜３個のヘテロ原子を有するＣ３〜Ｃ２５置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ２５置換アリールまたはＣ３〜Ｃ２５置換ヘテロアリール
よりなる群から選択され、
Ｒ７、Ｒ８、Ｒ９およびＲ１０は、独立して、
（ｖｉｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｖｉｉｉ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（ｉｘ）Ｃ６〜Ｃ２５非置換アリール、またはＯ、Ｎ、ＳｉおよびＳよりなる群から独立して選択される１〜３個のヘテロ原子を有するＣ３〜Ｃ２５非置換ヘテロアリールおよび
（ｘ）Ｃ６〜Ｃ２５置換アリール、またはＯ、Ｎ、ＳｉおよびＳよりなる群から独立して選択される１〜３個のヘテロ原子を有するＣ３〜Ｃ２５置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ２５直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ２５置換アリールまたはＣ３〜Ｃ２５置換ヘテロアリール
よりなる群から選択され、
場合により、Ｒ１、Ｒ２、Ｒ３、Ｒ４、Ｒ５、Ｒ６、Ｒ７、Ｒ８、Ｒ９およびＲ１０の少なくとも２つは一緒になって、環式または二環式のアルカニル基またはアルケニル基を形成する］
【請求項３】
Ｒ１、Ｒ２、Ｒ３、Ｒ４、Ｒ５、Ｒ６、Ｒ７、Ｒ８、Ｒ９およびＲ１０の少なくとも１つがＦ−を含んでなる請求項２に記載の組成物。
【請求項４】
イオン液体が式
【化４】
2009520073.tif 000042
［式中、Ｒ１１は、
（ｉ）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（ｉｉ）−ＣＨ３、−Ｃ２Ｈ５、またはＯ、Ｎ、ＳｉおよびＳよりなる群から選択される１〜３個のヘテロ原子を含んでなり、Ｃｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（ｉｉｉ）Ｃ６〜Ｃ１０非置換アリール、またはＯ、Ｎ、ＳｉおよびＳよりなる群から独立して選択される１〜３個のヘテロ原子を有するＣ３〜Ｃ１０非置換ヘテロアリールおよび
（ｉｖ）Ｃ６〜Ｃ１０置換アリール、またはＯ、Ｎ、ＳｉおよびＳよりなる群から独立して選択される１〜３個のヘテロ原子を有するＣ３〜Ｃ１０置換ヘテロアリールであって、
（１）−ＣＨ３、−Ｃ２Ｈ５、またはＣｌ、Ｂｒ、Ｆ、Ｉ、ＯＨ、ＮＨ２およびＳＨよりなる群から選択される少なくとも１つのメンバーで場合により置換されていてもよいＣ３〜Ｃ１０直鎖、分枝または環式のアルカンまたはアルケン、
（２）ＯＨ、
（３）ＮＨ２および
（４）ＳＨ
よりなる群から独立して選択される１〜３個の置換基を有するＣ６〜Ｃ１０置換アリールまたはＣ３〜Ｃ１０置換ヘテロアリール
よりなる群から選択される］
で表されるアニオンを含んでなる請求項１に記載の組成物。
【請求項５】
（ａ）水を含んでなる冷媒とイオン液体を含んでなる吸収剤との混合物を形成させる吸収装置と、（ｂ）混合物を吸収装置から受け、混合物を加熱して、吸収剤から蒸気状の冷媒を分離するとともに冷媒蒸気の圧力を上げる発生装置と、（ｃ）蒸気を発生装置から受け、蒸気を圧力下で液体に凝縮させる凝縮装置と、（ｄ）凝縮装置を出る液体冷媒が通り抜けて液体の圧力を下げ、液体と蒸気冷媒との混合物を形成させる減圧装置と、（ｅ）液体と蒸気冷媒との混合物を受け、混合物を減圧装置に通して残りの液体を蒸発させ、冷媒蒸気を形成させる蒸発装置と、（ｆ）蒸発装置を出る冷媒蒸気を吸収装置に戻す導管とを含んでなる温度調節のための装置。
【請求項６】
（ｉ）凝縮装置が加熱されるべき物体、媒体または空間に近接して配置されるか、または（ｉｉ）蒸発装置が冷却されるべき物体、媒体または空間に近接して配置される請求項５に記載の装置。
【請求項７】
イオン液体が請求項２に記載のカチオンおよび／または請求項４に記載のアニオンを含んでなる請求項５に記載の装置。
【請求項８】
物体、媒体または空間の温度を調節する方法であって、（ａ）冷媒蒸気を吸収剤に吸収させて混合物を形成させる工程と、（ｂ）混合物を加熱して、吸収剤から蒸気状で冷媒を分離するとともに冷媒蒸気の圧力を上げる工程と、（ｃ）冷媒蒸気を圧力下で液体に凝縮させる工程と、（ｄ）液体冷媒の圧力を下げるとともに冷媒を蒸発させて、冷媒蒸気を形成させる工程と、（ｅ）工程（ａ）を繰り返して、冷媒蒸気を吸収剤に再吸収させる工程とを含んでなり、吸収剤はイオン液体を含んでなり、冷媒は水を含んでなる方法。
【請求項９】
（ｉ）加熱されるべき物体、媒体または空間に近接して冷媒蒸気を液体に凝縮させるか、または（ｉｉ）冷却されるべき物体、媒体または空間に近接して液体冷媒を蒸発させて冷媒蒸気を形成させる請求項８に記載の方法。
【請求項１０】
イオン液体が請求項２に記載のカチオンおよび／または請求項４に記載のアニオンを含んでなる請求項８に記載の方法。
【国際調査報告】
2009520073.tif 000043
2009520073.tif 000044
2009520073.tif 000045